(57)【要約】【課題】ユーザが設定した設定温度を、建物の所在地、季節に応じた適切な設定温度と相対的に比較しながら的確にアドバイスし、快適な空調環境を得ることが可能空調システムのアドバイス装置を提供すること。【解決手段】表示モニタ６１と、邸Ｈに関する情報および空調システム５０に関する情報を取得する管理サーバＳｖと、情報ごとに対応付けられたアドバイスを記憶する記憶部と、情報に基づいて記憶部に記憶されたアドバイスを読み出して表示モニタ６１に表示させるアドバイス制御部（Ｓｖ，ＨＧＷ）と、を有し、情報として、空調システム５０の設定された運転モードの情報と、空調システム５０の設定温度の情報と、邸の建物の所在地を示す地域情報Ｒ１〜Ｒ８と、現在の季節の情報と、が含まれ、アドバイス制御により表示されるものに、設定温度と推奨温度とを比較可能なメータ表示部６１２ａの表示が含まれる空調システムのアドバイス装置とした。【選択図】図１
2018204873.tif 000002
【特許請求の範囲】
【請求項１】
建物に設けられた空調機器に関する情報を表示する表示手段と、
前記建物に関する情報および前記空調機器に関する情報を取得する管理サーバと、
前記情報ごとに対応付けられたアドバイスを記憶する記憶部と、
前記管理サーバに含まれ、取得した前記情報に基づいて前記記憶部に記憶されたアドバイスを読み出して前記表示手段に表示させるアドバイス制御部と、
を有し、
前記取得される前記情報として、
前記空調機器の設定された運転モードの情報と、
前記空調機器の設定温度の情報と、
前記建物の所在地の情報と、
現在の季節の情報と、
が含まれ、
前記アドバイス制御により表示されるものに、
前記設定温度と推奨温度とを比較可能な比較表示部の表示が含まれる
空調システムのアドバイス装置。
【請求項２】
請求項１に記載の空調システムのアドバイス装置において、
前記比較表示部は、温度の単位を表す目盛部と、この目盛部を基準に温度を示す温度表示部と、を備えたメータ表示部であり、
前記アドバイス制御部は、前記メータ表示部の前記温度表示部により、前記設定温度と前記推奨温度とを表示する
空調システムのアドバイス装置。
【請求項３】
請求項２に記載の空調システムのアドバイス装置において、
前記アドバイス制御部は、前記設定温度を指針により示し、前記推奨温度は温度幅を持たせた推奨温度表示域により表示する
空調システムのアドバイス装置。
【請求項４】
請求項１〜請求項３のいずれか１項に記載の空調システムのアドバイス装置において、
前記推奨温度は、前記情報に対応付けされて前記記憶部に記憶され、
前記アドバイス制御部は、前記取得された前記情報に応じた前記推奨温度を読み出して前記比較表示部に表示する
空調システムのアドバイス装置。
【請求項５】
請求項１〜請求項４のいずれか１項に記載の空調システムのアドバイス装置において、
前記アドバイス制御部は、前記アドバイスとして、前記設定温度と前記推奨温度とが離れている場合に、前記設定温度が不適切であることを警告するアドバイスが含まれる
空調システムのアドバイス装置。
【請求項６】
請求項１〜請求項５のいずれか１項に記載の空調システムのアドバイス装置において、
前記アドバイス制御部は、前記取得する情報として、前記空調機器の機種情報が含まれ、かつ、前記空調システムの機種に応じたアドバイスを行う
空調システムのアドバイス装置。
【請求項７】
請求項６に記載の空調システムのアドバイス装置において、
前記アドバイス制御部は、前記アドバイス制御を行うにあたり、前記空調機器の前記機種がホームエネルギマネジメントシステム制御を実行可能である場合、前記アドバイスとして前記ホームエネルギマネジメントシステム制御の実行を推奨するアドバイスが含まれる
空調システムのアドバイス装置。
【請求項８】
請求項７に記載の空調システムのアドバイス装置において、
前記アドバイス制御部は、前記ホームエネルギマネジメントシステム制御の実行の推奨を、季節が夏と冬である場合に行う
空調システムのアドバイス装置。
【請求項９】
請求項１〜請求項８のいずれか１項に記載の空調システムのアドバイス装置において、
前記空調機器は、運転を自動で開始するタイマー制御を実行可能であり、
前記アドバイス制御部は、前記タイマー制御の実行が設定されていない場合に、前記タイマー制御の実行を推奨するアドバイスを行う
空調システムのアドバイス装置。
【発明の詳細な説明】
【技術分野】
【０００１】
本開示は、空調システムのアドバイス装置に関するものである。
【背景技術】
【０００２】
従来から、建物が備える空調システムに対する使用方法をアドバイス可能な空調システムのアドバイス装置が、提案されている（例えば特許文献１参照）。
この従来装置は、季節に応じ、夏には冷房設定温度の上昇を、冬には暖房設定温度の低減をアドバイスして、電力使用量の節減を図るようにしている。
【先行技術文献】
【特許文献】
【０００３】
【特許文献１】特開２００９−１１２０７５号公報
【発明の概要】
【発明が解決しようとする課題】
【０００４】
しかしながら、上述の従来技術は、単に、季節に応じて設定温度を上下させるアドバイスを行うだけであり、建物の所在地に応じた適切な設定温度とするようアドバイスするものではなく、快適な空調環境を得ることが難しかった。
具体的には、北海道あるいは本州の高地など地域と、沖縄、九州や本州の南部などの地域とは、外気温が全く異なる。例えば、前者の地域の場合、夏でも寒かったり涼しかったりする場合があり、冷房設定温度を高くするアドバイスだけでは、快適な空調環境を得ることができる適切な設定温度に設定するのが難しい。また、前者の地域の場合、冬の外気温が後者の地域と比較して大幅に低いため、暖房設定温度を低くするアドバイスでは、快適な空調環境を得ることが難しい。
加えて、設定温度を上下させるにしても、どの程度上下させるのが良いのか不明確であり、適切な設定温度に設定するのが難しい。
【０００５】
本開示は、ユーザが設定した設定温度を、建物の所在地、季節に応じた適切な設定温度と相対的に比較しながら的確にアドバイスし、快適な空調環境を得ることが可能空調システムのアドバイス装置を提供することを目的としている。
【課題を解決するための手段】
【０００６】
前記目的を達成するために、本開示の空調システムのアドバイス装置は、
建物に設けられた空調機器に関する情報を表示する表示手段と、
前記建物に関する情報および前記空調機器に関する情報を取得する管理サーバと、
前記情報ごとに対応付けられたアドバイスを記憶する記憶部と、
前記管理サーバに含まれ、取得した前記情報に基づいて前記記憶部に記憶されたアドバイスを読み出して前記表示手段に表示させるアドバイス制御部と、
を有し、
前記取得される前記情報として、
前記空調機器の設定された運転モードの情報と、
前記空調機器の設定温度の情報と、
前記建物の所在地の情報と、
現在の季節の情報と、
が含まれ、
前記アドバイス制御により表示されるものに、
前記設定温度と推奨温度とを比較可能な比較表示部の表示が含まれる
空調システムのアドバイス装置とした。
【発明の効果】
【０００７】
本開示の空調システムのアドバイス装置では、ユーザが設定した設定温度を、建物の所在地、季節に応じた適切な設定温度と相対的に比較しながら的確にアドバイスし、快適な空調環境を得ることが可能である。
【図面の簡単な説明】
【０００８】
【図１】本発明の実施の形態１の空調システムのアドバイス装置を適用した住宅用機器制御システムを表した説明図である。
【図２】実施の形態１の空調システムのアドバイス装置を備えた邸（建物）の概略構成を示す概略構成図である。
【図３Ａ】モニタ表示部において、アドバイスの表示を行うアドバイス表示部を示す図であり、１月上旬のアドバイス表示の一例を示している。
【図３Ｂ】モニタ表示部において、アドバイスの表示を行うアドバイス表示部を示す図であり、３月上旬のアドバイス表示の一例を示している。
【図３Ｃ】モニタ表示部のメータ表示部における設定温度および推奨温度の表示の一例ならびに警告表示の一例を示す図である。
【図４】設定温度に対するアドバイス処理の流れを示すフローチャートである。
【図５Ａ】アドバイスコードの設定に用いるコンサルコードの設定の流れを示すフローチャートであり、吹き出し先が１階居室空間と２階居室空間とのいずれかあるいは両方となっている場合の処理の流れを示す。
【図５Ｂ】アドバイスコードの設定に用いるコンサルコードの設定の流れを示すフローチャートであり、吹き出し先が床下空間の場合の処理の流れを示す。
【図６】コンサルコード、地域情報および季節情報と、アドバイスコードとの関係を示す関係図である。
【図７】アドバイスコードに応じて表示するアドバイスの内容を示す図である。
【図８Ａ】ＨＥＭＳ制御およびタイマー制御（おすすめタイマー）に関するアドバイス制御の処理の流れを示すフローチャートであって、主として第２の機種（ＨＥＭＳ無）に対する処理を実行する部分を示している。
【図８Ｂ】ＨＥＭＳ制御およびタイマー制御（おすすめタイマー）に関するアドバイス制御の処理の流れを示すフローチャートであって、主として第１の機種（ＨＥＭＳ有）に対する処理を実行する部分を示している。
【図９Ａ】コンサルコードの設定ロジックの説明図である。
【図９Ｂ】コンサルコードの設定ロジックの説明図である。
【図１０Ａ】コンサルコード、地域情報、季節と、これに対応するアドバイスコードとの関係を示す説明図である。
【図１０Ｂ】コンサルコード、地域情報、季節と、これに対応するアドバイスコードとの関係を示す説明図である。
【図１１Ａ】アドバイスコードと、これに対応するアドバイスとの関係を示す説明図である。
【図１１Ｂ】アドバイスコードと、これに対応するアドバイスとの関係を示す説明図である。
【図１１Ｃ】アドバイスコードと、これに対応するアドバイスとの関係を示す説明図である。
【発明を実施するための形態】
【０００９】
以下、本発明の実施の形態について図面を参照して説明する。
（実施の形態１）
図１は、本発明の実施の形態１の空調システムのアドバイス装置を適用した住宅用機器制御システムＣを表した説明図である。
住宅用機器制御システムＣは、邸Ｈ１、邸Ｈ２、邸Ｈ３・・として示した各住宅（建物）に設置した各種機器を制御するためのシステムである。
【００１０】
各邸に設置された後述する各種機器は、制御機器ＨＧＷにより消費電力などが監視され、かつ、その運転が、制御機器ＨＧＷにより制御される。
また、制御機器ＨＧＷは、ルータＲを経由して通信ネットワークＮを介して、直接若しくは間接的に一または複数の管理サーバＳｖ（Ｓｖ１、Ｓｖ２）と接続されている。この管理サーバＳｖから制御機器ＨＧＷに運転計画や、アドバイス情報が送られる。そして、制御機器ＨＧＷは、受信した運転計画に基づいて、各種機器の運転制御を行うとともに、空調システム（空調機器）５０に設けられた表示モニタ６１に後述するアドバイスを表示する。なお、制御機器ＨＧＷは、パーソナルコンピュータ７や、不図示の携帯電話からの指示により、各種機器の運転制御を行うことも可能となっている。
【００１１】
邸Ｈ１には、各種機器として、蓄電池２、給湯機器３、空調システム５０が設置されている。
蓄電池２は、太陽光発電などのエネルギ生成手段によって生成した電力や、安価な時間帯に取得した電力が蓄えられる。具体的には、タイマーによって設定された時間帯に充電や放電を行う単純な運転や、制御機器ＨＧＷが取得した運転計画に基づいて充電や放電などを行うことが可能な機器である。蓄電池２の充放電運転モードには、一例として自立率優先モード、経済性優先モード、出力抑制機能、停電情報対応といった現在備えているモードや、将来的に付加されるモードがある。
【００１２】
給湯機器３は、蓄電池２と同様に太陽光発電や安価な夜間電力を利用して給湯用の湯を生成し、主として日中の利用のために蓄える。詳細には、給湯機器３は、湯の沸き上げや給湯に使用する各種の手段と、これらを制御するＣＰＵなどの演算手段や制御プログラムやデフォルトの運転モードを含めた各種の情報を記憶する記憶部を有した制御部３ａを備えている。
【００１３】
また、この給湯機器３の制御部３ａは、制御機器ＨＧＷとの通信によって給湯機器３用に設定された運転計画を実行する。また、記憶部に記憶されるデフォルトとは、例えば、利用者が決めた湯を沸かし始める開始時刻などの設定である。また、運転状況を制御機器ＨＧＷに対して出力し、定期的もしくはその都度新しい運転計画を取得する。
【００１４】
制御機器ＨＧＷは、上述のように、管理サーバＳｖからの指示にしたがって各種機器の運転を直接的、間接的に制御する。この運転制御として、周知のＨＥＭＳ（Home Energy Management System、ホームエネルギマネジメントシステム）制御と称する家庭内のエネルギ管理のための制御であって、省エネを主体とした制御が含まれる。このＨＥＭＳ制御により、前述のように、蓄電池２の充放電運転およびインバータ（不図示）の電力変換運転、分電盤（不図示）における電力経路切り替え制御や、給湯機器３への給水や、給湯運転が制御される。
【００１５】
次に、空調システム５０について説明するが、この空調システム５０の説明に先立ち、まず、邸（建物）Ｈ１の概略構成を、図２に基づいて説明する。
図２は、実施の形態１の空調システムのアドバイス装置を備えた邸Ｈの概略構成を示す概略構成図である。
【００１６】
この邸Ｈは、地盤に打設された基礎Ｂと、この基礎Ｂの上に構築された建物本体１０とを備える。
【００１７】
建物本体１０は、１階の床部１１により、上下で、床部１１の下の床下空間２０と、床部１１の上の床上空間３０とに仕切られている。
さらに、床上空間３０は、２階の床部１２により、上下で、２階の床部１２の下の１階居室空間３１と、２階の床部１２の上の２階居室空間３２とに仕切られている。
【００１８】
また、１階居室空間３１は、さらに、上下方向に立設された複数の仕切壁１３により、複数の居室３１ａ，３１ｂ・・・に仕切られている。
同様に、２階居室空間３２は、上下方向に立設された複数の仕切壁１４により、複数の居室３２ａ，３２ｂ，３２ｃ・・に仕切られている。
なお、基礎Ｂにおける立ち上がり側壁部Ｂ１の内周面には、グラスウールなどの断熱材４０が取り付けられ、床下空間２０内の熱が屋外に極力漏れない断熱構造となっている。
【００１９】
次に、邸Ｈに設けられた空調システム５０について説明する。
空調システム５０は、屋外機５１、屋内機５２、計測装置５３を備え、さらに、前述した制御機器ＨＧＷおよび前述した表示モニタ６１を有する設定装置６が含まれる。
【００２０】
屋外機５１は、邸Ｈの屋外に設置され、屋内機５２は、床下空間２０に設置されている。屋外機５１と屋内機５２とは、熱媒循環管路５４により接続され、ヒートポンプ式の熱交換器を構成している。
【００２１】
さらに、屋内機５２は、床下空間２０、１階居室空間３１（居室３１ａ，３１ｂ・・）、２階居室空間３２（居室３２ａ，３２ｂ・・）に、それぞれに、選択的に送風可能に構成されている。
すなわち、屋内機５２は、床下空間２０、１階居室空間３１、２階居室空間３２に接続された送風ダクト５２ａ，５２ｂ，５２ｃ、これら送風ダクト５２ａ，５２ｂ，５２ｃに送風可能なファン（不図示）、各送風パイプを開閉する開閉弁（不図示）を備える。
したがって、空調システム５０は、床下空間２０、１階居室空間３１、２階居室空間３２の３系統に対して、それぞれ、独立して温度や風量を調整可能に構成されている。
【００２２】
なお、空調システム５０としては、機種や仕様によっては、２階居室空間３２に対し、換気のみを可能としたものもある。この場合も、２階居室空間３２対し、直接的な温度調整はできないものの、１階居室空間３１への吹き出し先および温度を制御することで、２階居室空間３２に対して疑似的な温度調整を行うことが可能である。
【００２３】
また、計測装置５３は、ＨＥＮＳ制御および後述するアドバイス制御を実行するために必要な因子を検出するセンサを含む。このセンサとして、図示は省略するが、床下空間２０、１階居室空間３１、２階居室空間３２のそれぞれの温度を計測するセンサ、外気温度を計測するセンサ、邸Ｈにおける電力負荷の消費電力を検出するセンサ、太陽光発電装置などのエネルギ生成手段により発電された電力を検出するセンサ、蓄電池２における充放電される電力を検出するセンサが含まれる。
【００２４】
管理サーバＳｖおよび制御機器ＨＧＷでは、上述のＨＥＭＳ制御により邸Ｈの仕様に応じたエネルギ管理のための制御および空調システム５０の運転制御を実行するのに加え、エネルギ管理および空調システム５０の作動に対するアドバイス制御を実行する。
また、上記の管理サーバＳｖおよび制御機器ＨＧＷによる空調システム５０の運転制御として、冷暖房を、自動的に開始したり停止したりするタイマー制御が含まれる。そして、このタイマー制御には、過去の空調システム５０の運転状況や、検出した室温等に基づいて、住人の在宅時間に応じて快適な空調環境が得られるように、タイマーの設定を行う制御（おすすめタイマー）が含まれる。なお、表示モニタ６１を備える設定装置６は、図１に示すように、空調システム５０における温度設定や、タイマー制御を実行する時間の設定（タイマー設定）などを行う複数の設定スイッチ６２を備える。
【００２５】
（アドバイ制御）
次に、アドバイス制御について説明する。
このアドバイス制御は、管理サーバＳｖにおいて実行され、最終的に得られたアドバイスを、制御機器ＨＧＷに送信し、設定装置６の表示モニタ６１で表示する。このアドバイス制御としては、設定温度に対するアドバイスと、ＨＥＭＳ制御およびタイマー制御に対するアドバイスとが含まれる。
【００２６】
＜アドバイスの表示＞
上述のように、アドバイスは、表示モニタ６１に表示されるもので、まず、表示モニタ６１におけるアドバイスの表示について説明する。
【００２７】
図３Ａ、図３Ｂは、表示モニタ６１において、アドバイスの表示を行うアドバイス表示部６１０を示している。このアドバイス表示部６１０は、液晶などのデジタル表示を行うものであり、このアドバイス表示部６１０は、上側のＨＥＭＳ・タイマーアドバイス表示部６１１と、下側の設定温度アドバイス表示部６１２とに分けられている。
【００２８】
ＨＥＭＳ・タイマーアドバイス表示部６１１は、前述のように、ＨＥＭＳ制御およびタイマー制御に対するアドバイスを行う領域であり、主として文字によりアドバイスを表示する。
【００２９】
設定温度アドバイス表示部６１２は、メータ表示部６１２ａと、文字表示部６１２ｂとを備える。
メータ表示部６１２ａは、設定温度および後述する推奨温度域を、図示のメータ表示により視覚的に表示する領域である。
また、文字表示部６１２ｂは、設定温度に関するアドバイスを、文字により表示する領域である。
【００３０】
＜アドバイス制御の処理の流れ＞
次に、アドバイス表示部６１０のＨＥＭＳ・タイマーアドバイス表示部６１１と、設定温度アドバイス表示部６１２とのそれぞれに、アドバイスを表示するアドバイス制御の処理の流れを説明する。
【００３１】
（設定温度に対するアドバイス制御）
まず、設定温度に対するアドバイス制御の処理について図４、図５Ａ、図５Ｂに基づいて説明する。
【００３２】
図４は、設定温度に対するアドバイス処理の流れを示すフローチャートである。
最初のステップＳ１０１では、必要情報の取得を行う。
この必要情報の取得は、制御機器ＨＧＷから取得される情報と、予め管理サーバＳｖの記憶部（不図示）に記憶されている各邸Ｈに関する情報とが含まれる。
具体的には、必要情報とは、ユーザが設定した運転モード情報、空調システム５０の設定温度情報、空調システム５０の吹き出し先情報、邸Ｈの所在地の地域情報、現在の季節情報が含まれる。
【００３３】
運転モード情報とは、現在の空調システム５０の運転モードが、暖房、冷房、除湿、送風のいずれの運転モードに設定されているか、あるいは、主電源ＯＦＦでそれらのいずれの運転モードでもない非運転状態であるかの情報である。この運転モード情報は、制御機器ＨＧＷから通信ネットワークＮを介して管理サーバＳｖに送られ取得される。なお、運転モードは、ユーザが、設定装置６の設定スイッチ６２を操作することで設定される。
【００３４】
設定温度情報は、ユーザが設定した空調システム５０の現在の設定温度である。この設定温度情報も、制御機器ＨＧＷから通信ネットワークＮを介して管理サーバＳｖに送られ取得される。
【００３５】
吹き出し先情報は、空調システム５０において、その吹き出し先が、床下空間、１階居室、２階居室のいずれが選択されているかの情報である。ここで、１階居室および２階居室において、さらに、いずれの部屋への吹き出しが選択されているかの情報を取得するのが好ましい。
【００３６】
邸Ｈの所在地の地域情報は、予め、邸情報として、管理サーバＳｖの記憶部に記憶されており、管理サーバＳｖにおいて、記憶部から読み込むことで取得される。なお、地域情報は、国土交通省が定めた住宅・建築物の省エネルギ基準に準じて、全国を、その気候環境から、８通りの地域に区分したもので、邸Ｈがその８通りの地域の何れに所在しているかの情報である。本実施の形態では、この地域を示す情報である地域情報をＲ１〜Ｒ８とする。なお、地域情報Ｒ１が最も寒冷地（例えば、北海道の高地や北部）であることを示しており、地域情報Ｒ８が最も温暖な地域（例えば、沖縄）であることを示している。
【００３７】
現在の季節情報は、現在が、何月の上中下旬のいずれに属する季節であるかの情報であり、管理サーバＳｖにおける時計、暦の機能部分から現在の年月日を読み込むことで取得される。
【００３８】
ステップＳ１０１において、必要情報の取得を行った後に進むステップＳ１０２では、必要情報に応じたアドバイスコードの選択を行う。このアドバイスコードＤ１〜Ｄ１０（図６参照）の選択については後述する。
【００３９】
アドバイスコードＤ１〜Ｄ１０の選択後進むステップＳ１０３では、アドバイスコードＤ１〜Ｄ１０に応じたアドバイスを設定温度アドバイス表示部６１２に表示する処理を行う。なお、上記のアドバイスコードＤ１〜Ｄ１０およびアドバイスコードＤ１〜Ｄ１０に応じたアドバイスの文言は、予め、管理サーバＳｖの記憶部（不図示）に記憶されている。
【００４０】
＜アドバイスコードの選択＞
次に、上記のステップＳ１０２において実行するアドバイスコードＤ１〜Ｄ１０を選択する処理の流れについて説明する。
このアドバイスコードＤ１〜Ｄ１０の選択は、まず、空調システム５０による吹き出し先情報と運転モード情報とに基づいてコンサルコードｕ〜ｙ（図６参照）を設定する。そして、このコンサルコードｕ〜ｙと、邸Ｈの所在地の地域情報と、季節情報とに基づいてアドバイスコードＤ１〜Ｄ１０を選択するという手順で行う。
【００４１】
そこで、まず、コンサルコードｕ〜ｙの設定を説明する。
このコンサルコードの設定は、図５Ａ、図５Ｂのフローチャートに示す処理の流れに基づいて行う。
図５Ａは、空調システム５０による吹き出し先が各居室空間３１，３２となっている場合の処理を示すものであり、図５Ｂは、吹き出し先が床下空間２０となっている場合の処理を示す。
両フローチャートのステップＳ２０４〜Ｓ２０７およびＳ３０４〜Ｓ３０７に示すように、空調システム５０の吹き出し先および運転モードに基づいてコンサルコードｕ〜ｙを設定する。また、ステップＳ２０４、Ｓ２０７およびＳ３０４では、コンサルコードｕ〜ｙの設定に加え、設定温度情報の読み込みを行う。
【００４２】
そして、ステップＳ２０８、Ｓ３０８では、コンサルコードｕ〜ｙ、地域情報Ｒ１〜Ｒ８および季節情報に基づくアドバイスコードＤ１〜Ｄ１０の設定を行う。さらに、ステップＳ２０９、Ｓ３０９では、アドバイスコードＤ１〜Ｄ１０と、設定温度情報に基づいて、アドバイスの表示を行う。
【００４３】
ここで、ステップＳ２０８、Ｓ３０８におけるコンサルコードｕ〜ｙ、地域情報Ｒ１〜Ｒ８および季節情報に基づくアドバイスコードＤ１〜Ｄ１０の設定について、図６に基づいて説明する。
【００４４】
図６は、コンサルコードｕ〜ｙ、地域情報Ｒ１〜Ｒ８および季節情報と、アドバイスコードＤ１〜Ｄ１０との関係を示す関係図である。
すなわち、ステップＳ２０８，Ｓ３０８では、図６に示すように、縦行に示す、コンサルコードｕ〜ｙと、横列に示す、地域情報Ｒ１〜Ｒ８別の季節との組み合わせによりアドバイスコードＤ１〜Ｄ１０を決定する。
【００４５】
なお、図６に示すように、地域情報Ｒ１〜Ｒ４が与えられる寒冷地域では、夏場にはアドバイスコードの設定は行わない、すなわち、設定温度に関するアドバイスは行わない。また、アドバイスコードＤ１〜Ｄ１０の設定が無いグレーアウトの表示は、暖房および冷房が実行されない季節であって、アドバイス表示を行わず、設定温度アドバイス表示部６１２をグレー表示する。
【００４６】
図７は、アドバイスコードＤ１〜Ｄ１０に応じて表示するアドバイスの内容を示す。すなわち、ステップＳ２０９、Ｓ３０９において表示するアドバイスを示している。
以下に、地域情報Ｒ１〜Ｒ８、コンサルコードｕ〜ｙおよび季節と、アドバイスコートＤ１〜Ｄ１０との関係、および、アドバイスコードＤ１〜Ｄ１０によるアドナイスの内容について説明する。
【００４７】
まず、夏の時期のアドバイス制御について説明する。
図６に示すように、寒冷地域（Ｒ１〜Ｒ４）を除く、地域情報Ｒ５〜Ｒ８が与えられた地域では、７月〜９月上旬までの夏場に、運転モードが暖房（コンサルコードｕ）の場合、アドバイスコードＤ−１のアドバイスを表示する（図７参照）。
すなわち、夏場に暖房運転を行っている場合には、冷房運転を勧めるアドバイスを表示するとともに、図３Ａ〜図３Ｃに示すメータ表示部６１２ａによる推奨温度域と設定温度との表示を行う。なお、このメータ表示部６１２ａによる表示については、後述する。
【００４８】
また、地域情報Ｒ５〜Ｒ８が与えられた地域では、７月〜９月上旬までの夏場に、運転モードが冷房（コンサルコードｗ）の場合、アドバイスコードＤ−２のアドバイスを表示する（図７参照）。
すなわち、図３Ａ〜図３Ｃに示すメータ表示部６１２ａにより、推奨温度域と設定温度との比較表示を行うとともに、文字表示部６１２ｂにより、設定温度の適否についてのコメントを表示する。
【００４９】
同じく地域情報Ｒ５〜Ｒ８が与えられた地域では、７月〜９月上旬までの夏場に、運転モードが除湿（コンサルコードｗ）の場合、アドバイスコードＤ−３のアドバイスを表示する（図７参照）。
すなわち、文字表示部６１２ｂにより、現在、除湿設定であること、および、暑いと感じた場合には冷房運転を行うことを勧める表示を行う。なお、この場合、メータ表示部６１２ａによる推奨温度域と設定温度との表示は行わない。
【００５０】
同じく地域情報Ｒ５〜Ｒ８が与えられた地域では、７月〜９月上旬までの夏場に、運転モードが送風（コンサルコードｘ）の場合、アドバイスコードＤ−４のアドバイスを表示する（図７参照）。
すなわち、文字表示部６１２ｂにより、現在、送風設定であること、および、暑いと感じた場合には冷房運転を行うことを勧める表示を行う。なお、この場合、メータ表示部６１２ａによる推奨温度域と設定温度との表示は行わない。
【００５１】
同じく地域情報Ｒ５〜Ｒ８が与えられた地域では、７月〜９月上旬までの夏場に、主電源がＯＦＦ（コンサルコードｙ）の場合、アドバイスコードＤ−５のアドバイスを表示する（図７参照）。
すなわち、文字表示部６１２ｂにより、現在、オフ設定であること、および、暑いと感じた場合には冷房運転を行うことを、むしむしする場合には除湿運転を行うことを、勧める表示を行う。なお、この場合、メータ表示部６１２ａによる推奨温度域と設定温度との表示は行わない。
【００５２】
次に、冬の時期のアドバイス制御について説明する。
図６に示すように、地域情報Ｒ１〜Ｒ４が与えられた寒冷地域における１２月上旬〜４月上旬および地域情報Ｒ５〜Ｒ８が与えられた温暖地域における１２月上旬〜３月の冬場に、運転モードが暖房（コンサルコードｕ）の場合、アドバイスコードＤ−６のアドバイスを表示する（図７参照）。
この場合、メータ表示部６１２ａにより、推奨温度域と設定温度との比較表示を行うとともに、文字表示部６１２ｂにより、設定温度の適否に関するコメントや、床下空間２０の設定温度を１階居室空間３１の設定温度よりも高く設定することを勧める表示を行う。
【００５３】
同様に、地域情報Ｒ１〜Ｒ４が与えられた寒冷地域における１２月上旬〜４月上旬および地域情報Ｒ５〜Ｒ８が与えられた温暖地域における１２月上旬〜３月の冬場に、運転モードが冷房（コンサルコードｗ）の場合、アドバイスコードＤ−７のアドバイスを表示する（図７参照）。
すなわち、メータ表示部６１２ａにより、推奨温度域と設定温度との表示を行うとともに、文字表示部６１２ｂにより、設定温度の適否に関するコメントと、寒いと感じたら暖房運転を行うことを勧める表示を行う。
【００５４】
同様に、地域情報Ｒ１〜Ｒ４が与えられた寒冷地域における１２月上旬〜４月上旬および地域情報Ｒ５〜Ｒ８が与えられた温暖地域における１２月上旬〜３月の冬場に、運転モードが除湿（コンサルコードｗ）の場合、アドバイスコードＤ−８のアドバイスを表示する（図７参照）。
すなわち、文字表示部６１２ｂにより、現在、除湿設定であること、および、寒いと感じた場合には暖房運転を行うことを勧める表示を行う。なお、この場合、メータ表示部６１２ａによる推奨温度域と設定温度との表示は行わない。
【００５５】
同様に、地域情報Ｒ１〜Ｒ４が与えられた寒冷地域における１２月上旬〜４月上旬および地域情報Ｒ５〜Ｒ８が与えられた温暖地域における１２月上旬〜３月の冬場に、運転モードが送風（コンサルコードｘ）の場合、アドバイスコードＤ−９のアドバイスを表示する（図７参照）。
すなわち、文字表示部６１２ｂにより、現在、送風設定であること、および、寒いと感じた場合には暖房運転を行うことを勧める表示を行う。なお、この場合、メータ表示部６１２ａによる推奨温度域と設定温度との表示は行わない。
【００５６】
同様に、地域情報Ｒ１〜Ｒ４が与えられた寒冷地域における１２月上旬〜４月上旬および地域情報Ｒ５〜Ｒ８が与えられた温暖地域における１２月上旬〜３月の冬場に、主電源がＯＦＦ（コンサルコードｙ）の場合、アドバイスコードＤ−１０のアドバイスを表示する（図７参照）。
すなわち、文字表示部６１２ｂにより、現在、オフ設定であること、および、寒いと感じた場合には暖房運転を行うことを、勧める表示を行う。なお、この場合、メータ表示部６１２ａによる推奨温度域と設定温度との表示は行わない。
【００５７】
＜設定温度アドバイス表示部およびメータ表示部によるアドバイス表示＞
次に、設定温度アドバイス表示部６１２およびメータ表示部６１２ａにおけるアドバイス表示の具体例を、図３Ａ、図３Ｂ、図３Ｃに基づいて説明する。
図３Ａは、設定温度アドバイス表示部６１２における１月上旬のアドバイス表示の一例を示している。また、図３Ｂは、設定温度アドバイス表示部６１２における３月上旬のアドバイス表示の一例を示している。図３Ｃは、メータ表示部６１２ａにおける設定温度および推奨温度の表示の一例ならびに警告表示の一例を示している。
【００５８】
ここで、まず、メータ表示部６１２ａによる表示について説明する。
このメータ表示部６１２ａは、設定温度と推奨温度との比較表示を行う。本実施の形態１では、空調システム５０は、前述したように、床下空間（ベース）２０と、１階居室空間３１の居室３１ａ，３１ｂ・・と、２階居室空間３２の居室３２ａ，３２ｂ・・との三系統の吹き出し先を独立して行うことができる。つまり、３系統で、独立して空調を行うことができ、それぞれの系統に対し、独立して設定温度の設定が可能である。
【００５９】
そこで、メータ表示部６１２ａでは、設定温度と推奨温度との比較表示を、これら３系統について、第１系統表示部６１２ａａ、第２系統表示部６１２ａｂ、第３系統表示部６１２ａｃの３つの表示部において、それぞれ、独立して行っている。
これら図３Ａ〜図３Ｃの表示例では、第１系統表示部６１２ａａでは、床下空間２０の設定温度、推奨温度の比較表示を行っている。また、第２系統表示部６１２ａｂでは、１階居室空間３１のいずれかの居室３１ａ、３１ｂ（例えば、リビング）の設定温度、推奨温度の比較表示を行っている。さらに、第３系統表示部６１２ａｃでは、２階居室空間３２のいずれかの居室３２ａ，３２ｂの設定温度、推奨温度の比較表示を行っている。
【００６０】
上記の設定温度と推奨温度との比較表示を行うにあたり、実施の形態では、メータ表示により行っている。
すなわち、メータ表示部６１２ａの各系統表示部６１２ａａ，６１２ａｂ，６１２ａｃは、目盛部６１３と、温度表示部６１４とを備える。
目盛部６１３は、半円状に形成され、温度の単位を表す目盛が一定間隔で配置されている。本実施の形態では、目盛は、１６℃から３０℃までの範囲で、１℃刻みで配置されている。
【００６１】
温度表示部６１４は、設定温度と推奨温度とを表示するもので、設定温度を表示する指針表示部６１４ａと、温度幅を有して推奨温度を表す推奨温度域表示部６１４ｂとを備える。
指針表示部６１４ａは、指針の先端が設定温度を指すように表示する。
推奨温度域表示部６１４ｂは、推奨温度を中心に±２℃の範囲を表示する。ここで、推奨温度は、±０．５℃程度の幅を持たせて表示しているとともに、推奨温度は、推奨温度域よりも濃い色により表示している。
【００６２】
さらに、推奨温度域表示部６１４ｂは、暖房運転モード時と、冷房運転モード時とで異なる色で表示する。具体的には、運転モードが暖房運転モードの場合は、推奨温度域表示部６１４ｂを、暖色系の色（例えば、オレンジ色や黄色）により表示する。一方、運転モードが冷房運転モードの場合は、推奨温度域表示部６１４ｂを、寒色系の色（例えば、青色や緑色）により表示する。
また、指針表示部６１４ａは、推奨温度域表示部６１４ｂとは異なる色）例えば、黒色や紺色や赤色など）により表示する。
【００６３】
さらに、図３Ｃに示すように、メータ表示部６１２ａにおいて、各系統表示部６１２ａａ，６１２ａｂ，６１２ａｃは、警告表示部６１５を備える。この警告表示部６１５は、各系統表示部６１２ａａ，６１２ａｂ，６１２ａｃに設けられているが、図３Ｃでは、第２系統表示部６１２ａｂおよび第３系統表示部６１２ａｃにおいて警告表示を行った状態を示している。
【００６４】
この警告表示部６１５は、指針表示部６１４ａにより表示する設定温度が、推奨温度域表示部６１４ｂが表示する推奨温度域から所定温度（例えば、３℃）以上離れている場合に、警告表示を行う。
具体的には、暖房時に、設定温度が推奨温度域に対し、高温側に所定温度以上大きい場合、「高温注意」との警告表示を行う。
また、冷房時に、設定温度が推奨温度域に対し、冷温側に所定温度以上大きい場合に、「低温注意」との警告表示を行う。
【００６５】
次に、推奨温度について説明する。
推奨温度は、予め、各邸Ｈの仕様情報、地域情報、季節情報、吹き出し先情報（部屋）に応じ、温度幅を持って設定され、管理サーバＳｖの記憶部に記憶されている。したがって、ステップＳ１０１において取得した必要情報に応じた推奨温度および推奨温度域を読み込み、これを表示する。
【００６６】
図３Ａの表示例では、床下空間２０の設定温度および推奨温度を比較表示する第１系統表示部６１２ａａでは、推奨温度域表示部６１４ｂは、２４℃〜２８℃の領域を表示している。これは、１月上旬の床下空間２０の推奨温度域を示している。
そして、１階居室空間３１（例えば、リビング）の設定温度および推奨温度を比較表示する第２系統表示部６１２ａｂでは、推奨温度域表示部６１４ｂは、２１℃〜２５℃の領域を表示している。また、２階居室空間３２（例えば、子供部屋）の設定温度および推奨温度を比較表示する第３系統表示部６１２ａｃも、推奨温度域表示部６１４ｂは、２１℃〜２５℃の領域を表示している。
【００６７】
（ＨＥＭＳ・タイマーアドバイス表示部によるアドバイス制御＞
次に、ＨＥＭＳ・タイマーアドバイス表示部６１１によるＨＥＭＳ制御およびタイマー制御に対するアドバイス制御について説明する。
ここで、タイマー制御に関するアドバイスついて簡単に説明する。
このタイマー制御のアドバイス（おすすめタイマー）は、推奨時刻に空調システム５０の運転開始および運転停止を行うようにタイマーの設定を促すものである。なお、推奨時刻は、過去の空調システム５０の運転状況に基づいて、その運転パターンを分類した上で求めた、各邸Ｈの生活パターンに対して理想的な空調システム５０の運転開始時刻および運転停止時刻である。
また、このタイマー制御によるアドバイス（おすすめタイマー）としては、タイマーの設定が成されていない場合に、過去の運転パターンに基づく推奨時刻にタイマーを設定することを促したり、あるいはタイマーの設定時刻が、推奨時刻と異なる場合に、推奨時刻への設定変更を促したりするアドバイスが含まれる。
【００６８】
なお、上述の各邸Ｈの生活パターンに応じた運転パターンとしては、例えば、朝７時に起床する住人の空調システム５０の運転状況として、概ね４つのパターンに分類することができる。
第１のパターンは、深夜電力をフルに利用し、タイムスケジュール運転（タイマー）も出掛けるまでオン状態とするパターンである。
第２のパターンは、深夜は運転せず、朝から深夜電力を少し利用して運転を開始し、出掛けるまでタイムスケジュール運転（タイマー）をオン状態とするか、手動で運転するパターンである。
第３のパターンは、深夜電力は全く利用せず、朝から手動で運転するパターンである。
第４のパターンは、空調システム５０を全く使用しないパターンである。
このように、住人の過去の空調システム５０の運転状態に基づいて、複数の運転パターンに分類し、この分類した運転パターンに基づいて、空調システム５０自体の運転および空調システム５０の電力の供給などの運転、運転停止の推奨時間を設定する。
【００６９】
図８は、ＨＥＭＳ制御およびタイマー制御（おすすめタイマー）に関するアドバイス制御の処理の流れを示すフローチャートである。
最初のステップＳ２０１では、空調システム５０の機種の判別を行う。本実施の形態１では、ステップＳ２０１では、ＨＥＭＳ制御を実行可能な第１の機種Ｔ１か、ＨＥＭＳ制御に対応していない第２の機種Ｔ２かの判別を行う。また、本実施の形態１で用いた空調システム５０は、前述したように、ＨＥＭＳ制御を実行しており（第１の機種）、本実施の形態１の場合には、ステップＳ２１２に進む。
【００７０】
次のステップＳ２０２、Ｓ２１２では、空調システム５０の運転モード、タイマーの設定の有無（タイマーＯＮ／ＯＦＦ）を読み込む。なお、運転モードとしては、床下空間２０、１階居室空間３１、２階居室空間３２の３系統に対する空調状態（冷房、暖房、除湿、送風）を読み込む。
さらに、ステップＳ２０３、Ｓ２１３では、空調システム５０が動作中であるか否か（主電源ＯＮ/ＯＦＦ）を判定し、動作中（周電源ＯＮ）であれば、ステップＳ２０５，Ｓ２１５に進む。また、空調システム５０が非動作中（主電源ＯＦＦ）の場合、第１の機種の場合は、ステップＳ２１４に進み、第２の機種の場合は、ステップＳ２０４に進む。
そして、ステップＳ２０４では、コンサルコード＝ａに設定し、ステップＳ２１４では、コンサルコード＝ｂに設定する。
【００７１】
ステップＳ２０５，Ｓ２１５では、空調システム５０の運転モードおよびタイマーの設定状態を判定し、この判定結果に応じステップＳ２０６〜Ｓ２０９、Ｓ２１６〜Ｓ２１９に進む。
そして、ステップＳ２０６〜Ｓ２０９、Ｓ２１６〜Ｓ２１９では、空調システム５０の運転モードおよびタイマーのＯＮ、ＯＦＦに基づいて、コンサルコードｃ〜ｍ、ｎ〜ｐを設定する。
なお、これらステップＳ２０６〜Ｓ２０９、Ｓ２１６〜Ｓ２１９におけるコンサルコードａ〜ｔの設定ロジックを、図９Ａ，図９Ｂに示す。
【００７２】
次に、コンサルコードａ〜ｔの設定の後に進むステップＳ２１０では、コンサルコードａ〜ｔと、地域情報Ｒ１〜Ｒ８と、季節と、に基づいて、アドバイスコードＡ−１〜Ａ−６、Ｂ−１〜Ｂ−１６、Ｃ−１〜Ｃ−１６を設定する。
これら、コンサルコードａ〜ｔと、地域情報Ｒ１〜Ｒ８と、季節と、これに対応するアドバイスコードＡ−１〜Ａ−６、Ｂ−１〜Ｂ−１６、Ｃ−１〜Ｃ−１６との関係を、図１０Ａ、図１０Ｂに示す。
【００７３】
そして、ステップＳ２１０に続くＳ２１１では、アドバイスコードＡ−１〜Ａ−６、Ｂ−１〜Ｂ−１６、Ｃ−１〜Ｃ−１６に応じたアドバイスを表示する。
なお、各アドバイスコードＡ−１〜Ａ−６、Ｂ−１〜Ｂ−１６、Ｃ−１〜Ｃ−１６と、アドバイスの関係は、図１１Ａ、図１１Ｂ，図１１Ｃに示す。
【００７４】
このＨＥＭＳ制御およびタイマー制御に対するアドバイス制御としては、以下のアドバイスを有する。
・タイマー制御（おすすめタイマー）の設定を行っていない場合に、タイマー制御の設定を促すアドバイス（Ａ−１，Ａ−４，Ｂ−２、Ｂ−１２，Ｂ−１４，Ｃ−２，Ｃ−１２，Ｃ−１４など）。
・タイマー制御（おすすめタイマー）の設定を行っているので、そのままタイマー制御の設定を継続することを促すアドバイス（Ｂ−１、Ｂ−９，Ｃ−１，Ｃ−９など）。
・タイマー制御（おすすめタイマー）の設定を特定の空間に行っているが、他の空間にも必要に応じタイマー制御の設定を行うことを促すアドバイス（Ｂ−１０、Ｂ−１１，Ｃ−１０，Ｃ−１１など）。
・ＨＥＭＳ制御の設定を行っているので、そのまま継続してＨＥＭＳ制御の設定を継続することを促すアドバイス（Ｂ−５、Ｂ−１５，Ｃ−５，Ｃ−１５など）。
に示すように、ＨＥＭＳを進める、タイマーを勧める。
・ＨＥＭＳ制御の設定を行っていない場合に、ＨＥＭＳ制御の設定を促すアドバイス（Ｂ−６、Ｂ−１６，Ｃ−６，Ｃ−１６など）。なお、図１０Ｂに示すように、Ｂ−６、Ｂ−１６，Ｃ−６，Ｃ−１６は、夏および冬に実行されるもので、ＨＥＭＳ制御の設定を促すアドバイスは、夏および冬に実行する。
【００７５】
（実施の形態１の効果）
以下に、実施の形態の１の空調システムのアドバイス装置の効果を列挙する。
１）実施の形態１の空調システムのアドバイス装置は、
邸Ｈ（建物）に設けられた空調システム５０に関する情報を表示する表示モニタ６１と、
邸Ｈに関する情報および空調システム５０に関する情報を取得する管理サーバＳｖと、
情報ごとに対応付けられたアドバイスを記憶する管理サーバＳｖの記憶部と、
管理サーバＳｖに含まれ、取得した情報に基づいて記憶部に記憶されたアドバイスを読み出して表示モニタ６１に表示させるアドバイス制御部と、
を有し、
取得される情報として、
空調システム５０の設定された運転モード（冷房、暖房、除湿、送風）の情報と、
空調システム５０の設定温度の情報と、
邸の建物の所在地を示す地域情報Ｒ１〜Ｒ８と、
現在の季節の情報と、
が含まれ、
アドバイス制御により表示されるものに、
設定温度と推奨温度とを比較可能な比較表示部としてのメータ表示部６１２ａの表示が含まれる空調システムのアドバイス装置とした。
したがって、ユーザが設定した設定温度を、邸Ｈの所在地、季節に応じた適切な設定温度と相対的に比較しながら的確にアドバイスし、快適な空調環境を得ることが可能である。
【００７６】
２）実施の形態１の空調システムのアドバイス装置は、
メータ表示部６１２ａは、温度の単位を表す目盛部６１３と、この目盛部６１３を基準に温度を示す温度表示部６１４と、を備え、
アドバイス制御部は、メータ表示部６１２ａの温度表示部６１４により、設定温度と推奨温度とを表示する。
空調システムのアドバイス装置とした。
したがって、設定温度と推奨温度とを目盛部６１３により視覚的に相対比較しながら認識でき、両者の比較表示がより明確になる。
【００７７】
３）実施の形態１の空調システムのアドバイス装置は、
アドバイス制御部は、設定温度を指針表示部６１４ａにより示し、推奨温度は温度幅を持たせた推奨温度表示域表示部６１４ｂにより表示する空調システムのアドバイス装置とした。
したがって、ユーザは、温度幅を有した推奨温度表示域の範囲で温度設定が可能、すなわち、推奨温度域の範囲内で、高めの温度、低めの温度に設定可能であり、単一の推奨温度に設定するものと比較して、設定温度の自由度が広がる。
【００７８】
４）実施の形態１の空調システムのアドバイス装置は、
推奨温度は、情報に対応付けされて記憶部に記憶され、
アドバイス制御部は、取得された情報に応じた推奨温度を読み出してメータ表示部６１２ａに表示する空調システムのアドバイス装置とした。
したがって、地域情報などに基づいた適切な推奨温度を、容易に読み出し表示することができる。これにより、快適性の高い設定温度とするのを促すことが可能となる。
【００７９】
５）実施の形態１の空調システムのアドバイス装置は、
アドバイス制御部は、アドバイスとして、設定温度と推奨温度とが離れている場合に、設定温度が不適切であることを警告するアドバイスが含まれる空調システムのアドバイス装置とした。
これにより、不適切な設定温度に設定することが生じにくくなる。
【００８０】
６）実施の形態１の空調システムのアドバイス装置は、
アドバイス制御部は、取得する情報として、空調システム５０の機種情報が含まれ、かつ、空調システム５０の機種に応じたアドバイスを行う空調システムのアドバイス装置とした。
したがって、空調システム５０の機種の違いに応じたアドバイスを行わないものと比較して、より適切なアドバイスを行うことが可能となる。
【００８１】
７）実施の形態１の空調システムのアドバイス装置は、
アドバイス制御部は、アドバイス制御を行うにあたり、空調システム５０の機種がＨＥＭＳ制御を実行可能である場合、アドバイスとしてＨＥＭＳ制御の実行を推奨するアドバイスが含まれる空調システムのアドバイス装置とした。
したがって、より適切なアドバイスが可能となる。
【００８２】
８）実施の形態１の空調システムのアドバイス装置は、
アドバイス制御部は、ＨＭＥＳ制御の実行の推奨を、季節が夏と冬である場合に行う空調システムのアドバイス装置とした。
したがって、暖房によるエネルギ消費が大きな夏季および冬季において、省エネを図りながら、快適な空調環境が得られる。
【００８３】
９）実施の形態１の空調システムのアドバイス装置は、
空調システム５０は、運転を自動で開始するタイマー制御を実行可能であり、
アドバイス制御部は、タイマー制御の実行が設定されていない場合に、タイマー制御の実行を推奨するアドバイスを行う空調システムのアドバイス装置とした。
したがって、ターマー制御により快適な空調環境を得ることを促すことができる。
【００８４】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００８５】
例えば、上記した実施例では、アドバイス制御を、管理サーバを主体として実施する例を示したが、これに限定されない。すなわち、実施の形態では、複数の建物（邸）に対してアドバイス制御を実施するため、管理サーバを主体として実施したが、１つの建物（邸）に限定して実施する場合、建物（邸）内の制御機器により実施するようにしてもよい。
また、建物として戸建ての住宅（邸）を一例として示したが、建物としてはこれに限定されず、集合住宅、オフィスなど戸建ての住宅以外の建物にも適用可能である。
さらに、設定温度と推奨温度との比較表示としては、実施の形態のようなメータ表示に限定されるものではなく、両者の数値表示したものを並列表示してもよい。また、比較表示部として、メータ表示部を用いる場合であっても、目盛部の形状は、実施の形態で示したような半円形の目盛部に限定されず、例えば、縦方向や横方向に直線状の目盛部などの他の形状・配置の目盛部を用いてもよい。
【符号の説明】
【００８６】
２０   床下空間
３０   床上空間
３１   １階居室空間
３２   ２階居室空間
５０   空調システム（空調機器）
６１   表示モニタ（表示手段）
６１０ アドバイス表示部
６１１ ＨＥＭＳ・タイマーアドバイス表示部
６１２ 設定温度アドバイス表示部
６１２ａ      メータ表示部
６１３ 目盛部
６１４ａ      指針表示部
６１４ｂ      推奨温度域表示部
６１５ 警告表示部
Ｃ     住宅用機器制御システム
Ｈ     邸（建物）
ＨＧＷ 制御機器（アドバイス制御部）
Ｓｖ   管理サーバ（アドバイス制御部）
【図１】
2018204873.tif 000003
【図２】
2018204873.tif 000004
【図３Ａ】
2018204873.tif 000005
【図３Ｂ】
2018204873.tif 000006
【図３Ｃ】
2018204873.tif 000007
【図４】
2018204873.tif 000008
【図５Ａ】
2018204873.tif 000009
【図５Ｂ】
2018204873.tif 000010
【図６】
2018204873.tif 000011
【図７】
2018204873.tif 000012
【図８Ａ】
2018204873.tif 000013
【図８Ｂ】
2018204873.tif 000014
【図９Ａ】
2018204873.tif 000015
【図９Ｂ】
2018204873.tif 000016
【図１０Ａ】
2018204873.tif 000017
【図１０Ｂ】
2018204873.tif 000018
【図１１Ａ】
2018204873.tif 000019
【図１１Ｂ】
2018204873.tif 000020
【図１１Ｃ】
2018204873.tif 000021